(57)【要約】【課題】ダンパの開閉動作を検出する検出手段なしに、簡単な構成でダンパが開状態であるべきときに閉状態となっているダンパ異常を検出できるダンパ異常検出装置およびそれを備えた加湿装置を提供する。【解決手段】風通路内に配置されたヒータ１３と、風通路内に配置されたダンパ１５と、風通路Ｐ内のヒータ１３の下流側に配置された温度センサ１６と、ヒータ１３をオンした状態で温度センサ１６の検出温度に基づいて、ダンパ１５が開状態であるべきときに閉状態となっているダンパ異常か否かを判定する異常判定部３０aとを備える。【選択図】図４
2009133606.tif 000002
【特許請求の範囲】
【請求項１】
風通路内に配置されたヒータ(１３)と、
上記風通路内に配置されたダンパ(１５)と、
上記風通路内のヒータ(１３)の下流側に配置された温度センサ(１６)と、
上記ヒータ(１３)をオンした状態で上記温度センサ(１６)の検出温度に基づいて、上記ダンパ(１５)が開状態であるべきときに閉状態となっているダンパ異常か否かを判定する異常判定部(３０a)と
を備えたことを特徴とするダンパ異常検出装置。
【請求項２】
風通路内に配置されたヒータ(１３)と、上記風通路内に配置されたダンパ(１５)と、上記風通路内のヒータ(１３)の下流側に配置された温度センサ(１６)と、上記ヒータ(１３)をオンした状態で上記温度センサ(１６)の検出温度に基づいて、上記ダンパ(１５)が開状態であるべきときに閉状態となっているダンパ異常か否かを判定する異常判定部(３０a)とを備えたダンパ異常検出装置と、
上記風通路内かつ上記ヒータ(１３)の下流側に脱着領域が配置された加湿ロータ(１２)と
を備えたことを特徴とする加湿装置。
【請求項３】
請求項２に記載の加湿装置において、
上記加湿ロータ(１２)の上記脱着領域の下流側に上記温度センサ(１６)が配置されていることを特徴とする加湿装置。
【請求項４】
請求項２または３に記載の加湿装置において、
上記異常判定部(３０a)は、間隔をあけて周期的に判定を繰り返し、所定時間内に、上記ダンパが開状態であるべきときに閉状態が所定回数以上あるとダンパ異常と判定することを特徴とする加湿装置。
【請求項５】
請求項２から４までのいずれか１つに記載の加湿装置において、
上記異常判定部(３０a)により上記ダンパ異常を判定するとき、上記ヒータ(１３)の出力を一定とすることを特徴とする加湿装置。
【請求項６】
請求項２から５までのいずれか１つに記載の加湿装置において、
上記風通路内の上記加湿ロータ(１２)と上記温度センサ(１６)との間に配置され、上記風通路内の上流側から下流側に空気を送る加湿ファン(１４)を備え、
上記温度センサ(１６)は、上記加湿ファン(１４)の下流側かつ上記加湿ファン(１４)から離間して配置されていることを特徴とする加湿装置。
【請求項７】
請求項６に記載の加湿装置において、
上記風通路は、上記加湿ファン(１４)から略水平方向に延びる横通路領域を有し、
上記温度センサ(１６)は、上記風通路の横通路領域の上側を覆うケーシング(１０)から離間して下方に配置されていることを特徴とする加湿装置。
【請求項８】
請求項６に記載の加湿装置において、
上記風通路は、上記加湿ファン(１４)から略水平方向に延びる横通路領域を有し、
上記温度センサ(１６)は、上記風通路の横通路領域に配置され、
上記風通路の横通路領域かつ上記温度センサ(１６)の上側を覆うケーシング(１０)の上面または下面に断熱材(２０)を取り付けたことを特徴とする加湿装置。
【発明の詳細な説明】
【技術分野】
【０００１】
この発明は、ダンパ異常検出装置およびそれを備えた加湿装置に関する。
【背景技術】
【０００２】
従来、加湿装置としては、空気調和機に備えられ、室外から室内に加湿空気を搬送する加湿通路内にダンパを設けたものがある(例えば、特開２００４−７７０８２号公報(特許文献１)参照)。この加湿装置を用いた空気調和機では、加湿運転時や換気運転時にはダンパを開状態にし、運転停止時にはダンパを閉状態にして加湿通路を閉鎖している。
【０００３】
このような加湿装置では、加湿通路内に設けられたダンパの開閉動作をリミットスイッチにより検出するダンパ異常検出装置を備えたものもあるが、ダンパの開閉動作を検出するリミットスイッチなどの検出手段のないものでは、ダンパが開状態になるべきときに閉状態となっているダンパ異常を検出できないという問題がある。上記ダンパが開状態になるべきときに閉状態となった場合、加湿や換気が行えない。
【特許文献１】特開２００４−７７０８２号公報
【発明の開示】
【発明が解決しようとする課題】
【０００４】
そこで、この発明の課題は、ダンパの開閉動作を検出する検出手段なしに、簡単な構成でダンパが開状態であるべきときに閉状態となっているダンパ異常を検出できるダンパ異常検出装置およびそれを備えた加湿装置を提供することにある。
【課題を解決するための手段】
【０００５】
上記課題を解決するため、この発明のダンパ異常検出装置は、
風通路内に配置されたヒータと、
上記風通路内に配置されたダンパと、
上記風通路内のヒータの下流側に配置された温度センサと、
上記ヒータをオンした状態で上記温度センサの検出温度に基づいて、上記ダンパが開状態であるべきときに閉状態となっているダンパ異常か否かを判定する異常判定部と
を備えたことを特徴とする。
【０００６】
上記構成のダンパ異常検出装置によれば、ダンパが開状態で風が流れている風通路において、ヒータをオンした状態では、ヒータの下流側に配置された温度センサの検出温度は異常上昇しないが、ダンパが閉状態になっていると、風通路内を風が流れないので、ヒータの下流側に配置された温度センサの検出温度は異常上昇することになる。そこで、このダンパ異常時の温度上昇を利用して、温度センサの検出温度に基づいて、異常判定部によりダンパが開状態であるべきときに閉状態となっているダンパ異常か否かを判定する。このように、風通路内に配置されたダンパの開閉動作を検出するリミットスイッチ等の検出手段なしに、簡単な構成でダンパが開状態であるべきときに閉状態となっているダンパ異常を検出できる。
【０００７】
また、この発明の加湿装置では、
風通路内に配置されたヒータと、上記風通路内に配置されたダンパと、上記風通路内のヒータの下流側に配置された温度センサと、上記ヒータをオンした状態で上記温度センサの検出温度に基づいて、上記ダンパが開状態であるべきときに閉状態となっているダンパ異常か否かを判定する異常判定部とを備えたダンパ異常検出装置と、
上記風通路内かつ上記ヒータの下流側に脱着領域が配置された加湿ロータと
を備えたことを特徴とする。
【０００８】
ここで、上記加湿ロータは、軸を中心に回転する吸着材からなり、水分を吸着するための吸着領域と、水分を脱着するための上記脱着領域を有し、ヒータにより加熱された空気が脱着領域を通過して水分を脱着することにより空気を加湿する。
【０００９】
上記構成の加湿装置によれば、上記風通路内を流れる風上側からの空気をヒータにより加熱し、その加熱された空気をヒータの下流側に配置された加湿ロータを介して加湿して、加湿された空気を風通路を介して下流側に供給することが可能となる。そして、加湿運転中に上記温度センサの検出温度に基づいて、異常判定部によりダンパが開状態であるべきときに閉状態となっているダンパ異常か否かを判定する。これにより、風通路内に配置されたダンパの開閉動作を検出するリミットスイッチ等の検出手段なしに、簡単な構成でダンパが開状態であるべきときに閉状態となっているダンパ異常を検出できる。
【００１０】
また、一実施形態の加湿装置では、上記加湿ロータの上記脱着領域の下流側に上記温度センサが配置されている。
【００１１】
上記実施形態によれば、上記加湿ロータの脱着領域の下流側に温度センサが配置されていることによって、加湿ロータにより加湿された空気の温度を温度センサにより検出することが可能となり、加湿空気の温度に基づいて加湿運転の制御を容易に行うことができ、温度センサをダンパ異常検出と加湿運転制御に兼用することができる。
【００１２】
また、一実施形態の加湿装置では、上記異常判定部は、間隔をあけて周期的に判定を繰り返し、所定時間内に、上記ダンパが開状態であるべきときに閉状態が所定回数以上あるとダンパ異常と判定する。
【００１３】
上記実施形態によれば、上記異常判定部は、間隔をあけて周期的に判定を繰り返して、所定時間内に、ダンパが開状態であるべきときに閉状態が所定回数以上あるとダンパ異常と判定することによって、ダンパ異常の誤検出を防止できる。
【００１４】
また、一実施形態の加湿装置では、上記異常判定部により上記ダンパ異常を判定するとき、上記ヒータの出力を一定とする。
【００１５】
上記実施形態によれば、上記異常判定部によりダンパ異常を判定するとき、ヒータの出力を一定とすることによって、ダンパの開状態と閉状態で温度センサにより検出された加湿空気の温度の違いが明確になるので、温度センサにより検出された加湿空気の温度の変化に基づいて、ダンパ異常を正確に判定することができる。
【００１６】
また、一実施形態の加湿装置では、
上記風通路内の上記加湿ロータと上記温度センサとの間に配置され、上記風通路内の上流側から下流側に空気を送る加湿ファンを備え、
上記温度センサは、上記加湿ファンの下流側かつ上記加湿ファンから離間して配置されている。
【００１７】
上記実施形態によれば、上記風通路内の加湿ロータと温度センサとの間に配置された加湿ファンの下流側かつ加湿ファンから離間して配置することによって、乱流により温度が均一でない加湿ファンの直後よりも温度ムラの少ない領域で正確な温度検出ができる。
【００１８】
また、一実施形態の加湿装置では、
上記風通路は、上記加湿ファンから略水平方向に延びる横通路領域を有し、
上記温度センサは、上記風通路の横通路領域の上側を覆うケーシングから離間して下方に配置されている。
【００１９】
上記実施形態によれば、上記風通路の加湿ファンから略水平方向に延びる横通路領域の上側を覆うケーシングから温度センサを離間して下方に配置することによって、ケーシング上面を介して受ける外気の影響を少なくでき、より正確な温度検出ができる。
【００２０】
また、一実施形態の加湿装置では、
上記風通路は、上記加湿ファンから略水平方向に延びる横通路領域を有し、
上記温度センサは、上記風通路の横通路領域に配置され、
上記風通路の横通路領域かつ上記温度センサの上側を覆うケーシングの上面または下面に断熱材を取り付けた。
【００２１】
上記実施形態によれば、上記風通路の横通路領域かつその横通路領域に配置され温度センサの上側を覆うケーシングの上面または下面に断熱材を取り付けることによって、ケーシング上面を介して受ける外気の影響を少なくでき、より正確な温度検出ができる。
【発明の効果】
【００２２】
以上より明らかなように、この発明のダンパ異常検出装置によれば、風通路内に配置されたダンパの開閉動作を検出する検出手段なしに、簡単な構成でダンパが開状態であるべきときに閉状態となっているダンパ異常を検出することができる。
【００２３】
また、この発明の加湿装置によれば、上記ダンパ異常検出装置を用いることによって、風通路内に配置されたダンパの開閉動作を検出する検出手段なしに、簡単な構成でダンパが開状態であるべきときに閉状態となっているダンパ異常を検出することができる。
【００２４】
また、一実施形態の加湿装置によれば、加湿ロータの下流側に温度センサが配置されていることによって、加湿ロータにより加湿された空気の温度を温度センサにより検出することが可能となり、温度センサをダンパ異常検出と加湿運転制御に兼用することができる。
【００２５】
また、一実施形態の加湿装置によれば、異常判定部は、間隔をあけて周期的に判定を繰り返して、所定時間内に、ダンパが開状態であるべきときに閉状態が所定回数以上あるとダンパ異常と判定することによって、ダンパ異常の誤検出を防止できる。
【００２６】
また、一実施形態の加湿装置によれば、風通路内に配置されたヒータの出力を一定とすることによって、温度センサにより検出された加湿空気の温度の変化に基づいて、ダンパ異常を正確に判定することができる。
【００２７】
また、一実施形態の加湿装置によれば、上記風通路内の加湿ロータと温度センサとの間に配置された加湿ファンの下流側かつ加湿ファンから離間して配置することによって、乱流により温度が均一でない加湿ファンの直後よりも温度ムラの少ない領域で正確な温度検出を行うことができる。
【００２８】
また、一実施形態の加湿装置によれば、上記風通路の加湿ファンから略水平方向に延びる横通路領域の上側を覆うケーシングから温度センサを離間して下方に配置することによって、ケーシング上面を介して受ける外気の影響を少なくでき、より正確な温度検出行うことができる。
【００２９】
また、一実施形態の加湿装置によれば、上記風通路の横通路領域かつその横通路領域に配置され温度センサの上側を覆うケーシングの上面または下面に断熱材を取り付けることによって、ケーシング上面を介して受ける外気の影響を少なくでき、より正確な温度検出を行うことができる。
【発明を実施するための最良の形態】
【００３０】
以下、この発明のダンパ異常検出装置およびそれを備えた加湿装置を図示の実施の形態により詳細に説明する。
【００３１】
〔第１実施形態〕
図１はこの発明の第１実施形態の加湿装置を備えた空気調和機の概略構成図である。この空気調和機は、図１に示すように、室内機１と、上記室内機１に連絡配管(図示せず)を介して接続された室外機２と、上記室外機２上に載置され、室内機１と加湿ダクト４を介して接続された加湿装置３とを備えている。上記加湿装置３において室外空気を加湿して、加湿された空気を加湿ダクト４と室内機１を介して室内に供給する。
【００３２】
図２は上記加湿装置３の断面模式図を示しており、図２に示すように、加湿装置３は、吸湿ファン１１と、上記吸湿ファン１１により吸い込まれた室外空気を通過させて水分を吸着する吸着領域と水分を脱着する脱着領域とを有する円板形状の加湿ロータ１２と、上記加湿ロータ１２の脱着領域の上流側に配置されたヒータ１３と、上記加湿ロータ１２の脱着領域の下流側に配置された加湿ファン１４と、上記ヒータ１３と加湿ロータ１２の脱着領域と加湿ファン１４を通る風通路Ｐの出口近傍に設けられたダンパ１５とを備えている。上記加湿ロータ１２とヒータ１３と加湿ファン１４とダンパ１５をケーシング１０内に配置している。
【００３３】
上記加湿ロータ１２は、シリカゲル,ゼオライト,アルミナ等の吸着材が例えばハニカム状または多孔多粒状に成形されており、軸を中心に加湿ロータ駆動部２２(図４に示す)によって回転する。上記加湿ロータ１２は、吸湿ファン１１により吸い込まれた室外空気から吸着領域で吸湿する(水分を吸着する)。一方、上記風通路Ｐの加湿ロータ１２よりも上流側のヒータ１３で加熱された空気が加湿ロータ１２の脱着領域を通るときに、加湿ロータ１２によって加湿される(加湿ロータ１２から水分を脱着する)。このように、上記風通路Ｐの空気から加湿ロータ１２が吸着した水分は、ヒータ１３によって加熱された空気によって脱着されて、この空気が加湿される。そうして加湿された空気は、加湿ファン１４によって加湿ダクト４に送られる。
【００３４】
上記ヒータ１３とダンパ１５と温度センサ１６と異常判定部３０aでダンパ異常検出装置を構成している。
【００３５】
図３Ａは図２に示す要部Ａのダンパ１５が閉状態の断面模式図を示しており、ダンパ１５は、図示しないダンパ駆動部２１(図４に示す)によりケーシング１０内を水平方向に移動する。図３Ａでは、ダンパ１５が左側に移動して出口１０aを閉じている。上記ケーシング１０内の加湿ファン１４とダンパ１５との間に温度センサ１６を配置している。すなわち、風通路Ｐにおいて、温度センサ１６は、加湿ロータ１２の脱着領域の下流側に配置されている。
【００３６】
また、図３Ｂは図２に示す要部Ａのダンパ１５が開状態の断面模式図を示しており、図３Ｂでは、ダンパ１５が右側に移動して出口１０aを開いている。
【００３７】
図４は上記加湿装置３の要部のブロック図を示しており、この加湿装置３は、図４に示すように、温度センサ１６に基づいて、吸湿ファン１１,ヒータ１３,加湿ファン１４,ダンパ駆動部２１および加湿ロータ駆動部２２などを制御する制御部３０を備えている。上記制御部３０は、マイクロコンピュータおよび入出力回路などからなり、ダンパ異常か否かを判定する異常判定部３０aと、タイマＴＭ１と、タイマＴＭ２とを有している。
【００３８】
上記制御部３０は、加湿運転時、図５に示す加湿吹出温度のゾーン図にしたがって、加湿空気の吹出温度が制御される。図５に示すように、加湿吹出温度の高い温度から順に、第１温度HEATLT1、第２温度HEATLT2、第３温度HEATLT3、第４温度HEATLT4で分割された停止域、垂下域、無変化域、アップ域、アップ域兼ヒータ停止からの復帰域が設定されている。
【００３９】
上記温度センサ１６により検出された加湿吹出温度に基づいて、加湿吹出温度が目標温度になるように、ヒータ１３の出力を制御する。すなわち、加湿吹出温度がアップ域のときはヒータ１３の出力を大きくし、加湿吹出温度が無変化域のときはヒータ１３の出力を変えず、加湿吹出温度が垂下域のときはヒータ１３の出力を小さくする。
【００４０】
図６は上記制御部３０の開閉検出動作を説明するためのフローチャートを示し、図７は図６に続くフローチャートを示している。なお、処理がスタートする前に異常回数は、ゼロに初期設定されている。
【００４１】
この処理がスタートすると、ステップＳ１で加湿運転の要求有りか否かを判別して、加湿運転の要求有りのときはステップＳ２に進む一方、加湿運転の要求なしのときはステップＳ１を繰り返す。
【００４２】
そして、ステップＳ２で吹出温度ゾーンが停止域以外であると判別すると、ステップＳ３に進む一方、吹出温度ゾーンが停止域であると判別すると、ステップＳ９に進み、ヒータ１３をオフしてステップＳ１に戻る。
【００４３】
次に、ステップＳ３でヒータ１３をオンして、ステップＳ４に進み、タイマＴＭ１をスタートした後、ステップＳ５に進む。ここで、タイマＴＭ１のスタートとは、タイマカウント値が初期値に設定された後、再スタートすることであり、タイムアップとは、タイマカウント値がゼロからカウントアップされて所定値になった場合か、または、タイマカウント値が所定値からカウントダウンされてゼロになった場合のことをいう(以下、ＴＭ２,ＴＭ３も同様)。
【００４４】
次に、ステップＳ５で吹出温度ゾーンが停止域以外から停止域への変化有りか否かを判別して、吹出温度ゾーンが停止域以外から停止域への変化があると判別すると、ステップＳ６に進む。一方、ステップＳ５で吹出温度ゾーンが停止域以外から停止域への変化がないと判別すると、図７に示すステップＳ１１に進む。
【００４５】
次に、ステップＳ６で異常回数を１つインクリメント(＋１)した後、ステップＳ７に進み、異常回数が所定回数Ｎ以上であると判別すると、ステップＳ８に進み、異常処理を実行して、この処理を終了する。
【００４６】
一方、ステップＳ７で異常回数が所定回数Ｎ未満であると判別すると、ステップＳ１に戻る。
【００４７】
また、図７に示すステップＳ１１では、タイマＴＭ１がタイムアップしたか否かを判別して、タイマＴＭ１がタイムアップしたと判別したときは、ステップＳ１５に進み、異常回数をゼロに設定して、図６に示すステップＳ１に戻る。
【００４８】
一方、ステップＳ１１でタイマＴＭ１がタイムアップしていないと判別したときは、ステップＳ１２に進み、加湿運転の要求有りか否かを判別する。
【００４９】
そして、ステップＳ１２で加湿運転の要求有りと判別すると、図６に示すステップＳ５一方、加湿運転の要求なしと判別すると、ステップＳ１３に進む。
【００５０】
次に、ステップＳ１３でタイマＴＭ２をスタートした後、ステップＳ１４に進み、タイマＴＭ２がタイムアップしたか否かを判別する。
【００５１】
そして、ステップＳ１４でタイマＴＭ２がタイムアップしたと判別すると、ステップＳ１５に進む一方、タイマＴＭ２がタイムアップしていないと判別すると、ステップＳ１６に進む。
【００５２】
次に、ステップＳ１６で加湿運転の要求有りと判別すると、図６に示すステップＳ１に戻る一方、加湿運転の要求なしと判別すると、ステップＳ１４に戻る。
【００５３】
上記ダンパ異常検出装置を備えた加湿装置３によれば、風通路Ｐ内に配置されたダンパ１５の開閉動作を検出する検出手段なしに、簡単な構成でダンパ１５が開状態であるべきときに閉状態となっているダンパ異常を検出することができる。
【００５４】
また、上記加湿ロータ１２の下流側に温度センサ１６が配置されていることによって、加湿ロータ１２により加湿された空気の温度を温度センサ１６により検出することが可能となり、温度センサ１６をダンパ異常検出と加湿運転制御に兼用することができる。
【００５５】
また、異常判定部３０aは、間隔をあけて周期的に判定を繰り返して、所定時間内に、ダンパが開状態であるべきときに閉状態が所定回数Ｎ以上あるとダンパ異常と判定することによって、ダンパ異常の誤検出を防止することができる。
【００５６】
〔第２実施形態〕
図８はこの発明の第２実施形態の加湿装置を備えた空気調和機の要部のブロック図を示しており、この第２実施形態の空気調和機は、制御部３０を除いて同一の構成をしている。
【００５７】
図９は上記加湿装置３の制御部３０の他の開閉検出動作を説明するためのフローチャートを示している。
【００５８】
この処理がスタートすると、ステップＳ２１で加湿運転の要求有りと判別すると、ステップＳ２２に進む一方、加湿運転の要求なしと判別すると、このステップＳ２１を繰り返す。
【００５９】
そして、ステップＳ２２で開閉検出用のヒータ出力をオンする。このとき、ヒータ１３に開閉検出用として所定電力を投入して、ヒータ出力を一定にしている。
【００６０】
次に、ステップＳ２３に進み、タイマＴＭ３をスタートして、ステップＳ２４に進み、加湿吹出温度が所定温度Ｘ以上か否かを判別する。
【００６１】
そして、ステップＳ２４で加湿吹出温度が所定温度Ｘ以上であると判別すると、ステップＳ２５に進み、異常処理を実行して、この処理を終了する。
【００６２】
一方、ステップＳ２４で加湿吹出温度が所定温度Ｘ未満であると判別すると、ステップＳ２６に進み、タイマＴＭ３がタイムアップしていると判別すると、ステップＳ２７に進み、通常運転を実行して、この処理を終了する。
【００６３】
一方、ステップＳ２６でタイマＴＭ３がタイムアップしていないと判別すると、ステップＳ２４に戻る。
【００６４】
このように、上記制御部３０の他の開閉検出動作では、風通路Ｐ内に配置されたヒータ１３の出力を一定とすることによって、ダンパ１５の開状態と閉状態で温度センサ１６により検出された加湿空気の温度の違いが明確になるので、温度センサ１６により検出された加湿空気の温度の変化に基づいて、ダンパ異常を正確に判定することができる。
【００６５】
上記第１,第２実施形態では、ケーシング１０内の加湿ファン１４とダンパ１５との間に温度センサ１６を配置したが、加湿ファン１４の直後よりも、図１０に示すように、温度センサ１６を加湿ファン１４から遠い図中右側に配置するのが望ましい。このように、温度センサ１６を加湿ファン１４の下流側かつ加湿ファン１４から離間して配置した場合は、乱流により温度が均一でない加湿ファン１４の直後よりも温度ムラの少ない領域で正確な温度検出ができる。
【００６６】
また、図１１に示すように、温度センサ１６を加湿ファン１４から遠い図中右側にすると共に、さらに上側のケーシング１０上面から遠い図中下側に配置するのが望ましい。このように、温度センサ１６を風通路の横通路領域の上側を覆うケーシング１０から離間して下方に配置した場合は、ケーシング１０上面を介して受ける外気の影響を少なくでき、より正確な温度検出ができる。
【００６７】
または、図１２に示すように、図１０と同じ位置の温度センサ１６の上側のケーシング１０上面に断熱材２０を設けることによって、ケーシング１０上面を介して受ける外気の影響を少なくでき、より正確な温度検出ができる。
【００６８】
さらに、図１４に示す樹脂モールドタイプのサーミスタを温度センサ１１６に用いた場合よりも、図１５に示す管入タイプのサーミスタを温度センサ２１６に用いることによって、ケーシング１０の上側に温度センサを取り付けるしかない構造上の制約があっても、温度センサの検出部をより下方に取り付けて、ケーシング上面を介して受ける外気の影響を少なくできる。
【００６９】
また、上記第１,第２実施形態では、ダンパ異常検出装置を備えた加湿装置を備える空気調和機について説明したが、ダンパ異常検出装置はこれに限らず、風通路内に配置されたヒータと、風通路内に配置されたダンパと、風通路内のヒータの下流側に配置された温度センサと、ヒータをオンした状態で温度センサの検出温度に基づいて、ダンパが開状態であるべきときに閉状態となっているダンパ異常か否かを判定する異常判定部とを備えたものであればよい。
【００７０】
例えば、ヒータとダンパが風通路内に配置された空調ダクトにこの発明のダンパ異常検出装置を適用してもよい。
【００７１】
また、上記第１,第２実施形態では、ダンパ駆動部２１により水平方向に移動させるダンパ１５について説明したが、ダンパの構成はこれに限らない。
【００７２】
例えば、風通路内に上端部が回動自在に取り付けられたフタ状のダンパであって、風下側のファンからの風圧によりダンパが上端部を中心に風下側に回動して風通路が開き、ファンが停止すると、ダンパが自重により上端部を中心にして下方に閉じてストッパーに当たり、全閉状態になるものであってもよい。この場合、ファンを停止する直前のファン風量が所定値よりも大きいときは、ファン風量を所定値以下にしてから所定時間経過後にファンを停止することにより、ファン停止時のダクトがストッパーに当接するときの音を小さくできる。
【００７３】
さらに、風通路内の加湿ロータ１２,ヒータ１３,加湿ファン１４,温度センサ１６よりも下流側にダンパ１５を配置したが、ダンパの位置はこれに限らず、ダンパは風通路内であればどこに配置されていてもよい。
【図面の簡単な説明】
【００７４】
【図１】図１はこの発明の第１実施形態の加湿装置を備えた空気調和機の概略構成図である。
【図２】図２は上記加湿装置の断面模式図である。
【図３Ａ】図３Ａは図２に示す要部Ａのダンパが閉状態の断面模式図である。
【図３Ｂ】図３Ｂは図２に示す要部Ａのダンパが開状態の断面模式図である。
【図４】図４は上記空気調和機の要部のブロック図である。
【図５】図５は加湿吹出温度のゾーン図である。
【図６】図６は上記空気調和機の制御部の開閉検出動作を説明するためのフローチャートである。
【図７】図７は図６に続くフローチャートである。
【図８】図８はこの発明の第２実施形態の加湿装置を備えた空気調和機の要部のブロック図である。
【図９】図９は上記空気調和機の制御部の他の開閉検出動作を説明するためのフローチャートである。
【図１０】図１０は温度センサの他の配置例を示す断面模式図である。
【図１１】図１１は温度センサの他の配置例を示す断面模式図である。
【図１２】図１２は図１０において温度センサの上側に断熱材を設けた例を示す断面模式図である。
【図１３】図１３は温度センサに樹脂モールドタイプのサーミスタを用いた例を示す断面模式図である。
【図１４】図１４は温度センサに管入タイプのサーミスタを用いた例を示す断面模式図である。
【符号の説明】
【００７５】
１…室内機
２…室外機
３…加湿装置
４…加湿ダクト
１０…ケーシング
１２…加湿ロータ
１３…ヒータ
１４…加湿ファン
１５…ダンパ
１６,１１６,２１６…温度センサ
２１…ダンパ駆動部
２２…加湿ロータ駆動部
３０…制御部
３０a…異常判定部
Ｐ…風通路
ＴＭ１,ＴＭ２,ＴＭ３…タイマ
【図１】
2009133606.tif 000003
【図２】
2009133606.tif 000004
【図３Ａ】
2009133606.tif 000005
【図３Ｂ】
2009133606.tif 000006
【図４】
2009133606.tif 000007
【図５】
2009133606.tif 000008
【図６】
2009133606.tif 000009
【図７】
2009133606.tif 000010
【図８】
2009133606.tif 000011
【図９】
2009133606.tif 000012
【図１０】
2009133606.tif 000013
【図１１】
2009133606.tif 000014
【図１２】
2009133606.tif 000015
【図１３】
2009133606.tif 000016
【図１４】
2009133606.tif 000017
【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
風通路内に配置されたヒータ(１３)と、
上記風通路内に配置されたダンパ(１５)と、
上記風通路内のヒータ(１３)の下流側に配置された温度センサ(１６)と、
上記ヒータ(１３)をオンした状態で上記温度センサ(１６)の検出温度に基づいて、上記ダンパ(１５)が開状態であるべきときに閉状態となっているダンパ異常か否かを判定する異常判定部(３０a)を有する制御部(３０)と、
上記風通路内かつ上記ヒータ(１３)の下流側に脱着領域が配置された加湿ロータ(１２)と、
上記風通路内の上記加湿ロータ(１２)と上記温度センサ(１６)との間に配置され、上記風通路内の上流側から下流側に空気を送る加湿ファン(１４)と
を備え、
上記加湿ロータ(１２)の上記脱着領域の下流側に上記温度センサ(１６)が配置されており、
上記制御部(３０)は、
上記ダンパ(１５)を開状態して、上記加湿ファン(１４)により上記風通路内の上流側から下流側に空気を送る加湿運転時に、上記温度センサ(１６)により検出された検出温度である加湿吹出温度に基づいて、上記ヒータ(１３)の出力を制御すると共に、
上記加湿運転中に、上記温度センサ(１６)により検出された上記加湿吹出温度に基づいて、上記異常判定部(３０a)により、上記ダンパ(１５)が開状態であるべきときに閉状態となっているダンパ異常か否かを判定することを特徴とする加湿装置。
【請求項２】
請求項１に記載の加湿装置において、
上記異常判定部(３０a)は、間隔をあけて周期的に判定を繰り返し、所定時間内に、上記ダンパが開状態であるべきときに閉状態が所定回数以上あるとダンパ異常と判定することを特徴とする加湿装置。
【請求項３】
請求項１または２に記載の加湿装置において、
上記温度センサ(１６)は、上記加湿ファン(１４)の下流側かつ上記加湿ファン(１４)から離間して配置されていることを特徴とする加湿装置。
【請求項４】
請求項１から３までのいずれか１つに記載の加湿装置において、
上記風通路は、上記加湿ファン(１４)から略水平方向に延びる横通路領域を有し、
上記温度センサ(１６)は、上記風通路の横通路領域の上側を覆うケーシング(１０)から離間して下方に配置されていることを特徴とする加湿装置。
【請求項５】
請求項１から３までのいずれか１つに記載の加湿装置において、
上記風通路は、上記加湿ファン(１４)から略水平方向に延びる横通路領域を有し、
上記温度センサ(１６)は、上記風通路の横通路領域に配置され、
上記風通路の横通路領域かつ上記温度センサ(１６)の上側を覆うケーシング(１０)の上面または下面に断熱材(２０)を取り付けたことを特徴とする加湿装置。
【手続補正２】
【補正対象書類名】明細書
【補正対象項目名】全文
【補正方法】変更
【補正の内容】
【発明の詳細な説明】
【技術分野】
【０００１】
この発明は、加湿装置に関する。
【背景技術】
【０００２】
従来、加湿装置としては、空気調和機に備えられ、室外から室内に加湿空気を搬送する加湿通路内にダンパを設けたものがある(例えば、特開２００４−７７０８２号公報(特許文献１)参照)。この加湿装置を用いた空気調和機では、加湿運転時や換気運転時にはダンパを開状態にし、運転停止時にはダンパを閉状態にして加湿通路を閉鎖している。
【０００３】
このような加湿装置では、加湿通路内に設けられたダンパの開閉動作をリミットスイッチにより検出するダンパ異常検出装置を備えたものもあるが、ダンパの開閉動作を検出するリミットスイッチなどの検出手段のないものでは、ダンパが開状態になるべきときに閉状態となっているダンパ異常を検出できないという問題がある。上記ダンパが開状態になるべきときに閉状態となった場合、加湿や換気が行えない。
【特許文献１】特開２００４−７７０８２号公報
【発明の開示】
【発明が解決しようとする課題】
【０００４】
そこで、この発明の課題は、ダンパの開閉動作を検出する検出手段なしに、簡単な構成でダンパが開状態であるべきときに閉状態となっているダンパ異常を検出できる加湿装置を提供することにある。
【課題を解決するための手段】
【０００５】
【０００６】
【０００７】
上記課題を解決するため、この発明の加湿装置では、
風通路内に配置されたヒータと、
上記風通路内に配置されたダンパと、
上記風通路内のヒータの下流側に配置された温度センサと、
上記ヒータをオンした状態で上記温度センサの検出温度に基づいて、上記ダンパが開状態であるべきときに閉状態となっているダンパ異常か否かを判定する異常判定部を有する制御部と、
上記風通路内かつ上記ヒータの下流側に脱着領域が配置された加湿ロータと、
上記風通路内の上記加湿ロータと上記温度センサとの間に配置され、上記風通路内の上流側から下流側に空気を送る加湿ファンと
を備え、
上記加湿ロータの上記脱着領域の下流側に上記温度センサが配置されており、
上記制御部は、
上記ダンパを開状態して、上記加湿ファンにより上記風通路内の上流側から下流側に空気を送る加湿運転時に、上記温度センサにより検出された検出温度である加湿吹出温度に基づいて、上記ヒータの出力を制御すると共に、
上記加湿運転中に、上記温度センサにより検出された上記加湿吹出温度に基づいて、上記異常判定部により、上記ダンパが開状態であるべきときに閉状態となっているダンパ異常か否かを判定することを特徴とする。
【０００８】
ここで、上記加湿ロータは、軸を中心に回転する吸着材からなり、水分を吸着するための吸着領域と、水分を脱着するための上記脱着領域を有し、ヒータにより加熱された空気が脱着領域を通過して水分を脱着することにより空気を加湿する。
【０００９】
上記構成の加湿装置によれば、ダンパが開状態で風が流れている風通路において、ヒータをオンした状態では、ヒータの下流側に配置された温度センサの検出温度は異常上昇しないが、ダンパが閉状態になっていると、風通路内を風が流れないので、ヒータの下流側に配置された温度センサの検出温度は異常上昇することになる。そこで、このダンパ異常時の温度上昇を利用して、温度センサの検出温度に基づいて、制御部の異常判定部によりダンパが開状態であるべきときに閉状態となっているダンパ異常か否かを判定する。この加湿装置では、上記風通路内を流れる風上側からの空気をヒータにより加熱し、その加熱された空気をヒータの下流側に配置された加湿ロータを介して加湿して、加湿された空気を風通路を介して下流側に供給することが可能となる。そして、加湿運転中に上記温度センサの検出温度に基づいて、異常判定部によりダンパが開状態であるべきときに閉状態となっているダンパ異常か否かを判定する。これにより、風通路内に配置されたダンパの開閉動作を検出するリミットスイッチ等の検出手段なしに、簡単な構成でダンパが開状態であるべきときに閉状態となっているダンパ異常を検出できる。
【００１０】
【００１１】
また、上記加湿ロータの脱着領域の下流側に温度センサが配置されていることによって、加湿ロータにより加湿された空気の温度を温度センサにより検出することが可能となり、加湿空気の温度に基づいて加湿運転の制御を容易に行うことができ、温度センサをダンパ異常検出と加湿運転制御に兼用することができる。
【００１２】
また、一実施形態の加湿装置では、上記異常判定部は、間隔をあけて周期的に判定を繰り返し、所定時間内に、上記ダンパが開状態であるべきときに閉状態が所定回数以上あるとダンパ異常と判定する。
【００１３】
上記実施形態によれば、上記異常判定部は、間隔をあけて周期的に判定を繰り返して、所定時間内に、ダンパが開状態であるべきときに閉状態が所定回数以上あるとダンパ異常と判定することによって、ダンパ異常の誤検出を防止できる。
【００１４】
【００１５】
【００１６】
また、一実施形態の加湿装置では、
上記温度センサは、上記加湿ファンの下流側かつ上記加湿ファンから離間して配置されている。
【００１７】
上記実施形態によれば、上記風通路内の加湿ロータと温度センサとの間に配置された加湿ファンの下流側かつ加湿ファンから離間して配置することによって、乱流により温度が均一でない加湿ファンの直後よりも温度ムラの少ない領域で正確な温度検出ができる。
【００１８】
また、一実施形態の加湿装置では、
上記風通路は、上記加湿ファンから略水平方向に延びる横通路領域を有し、
上記温度センサは、上記風通路の横通路領域の上側を覆うケーシングから離間して下方に配置されている。
【００１９】
上記実施形態によれば、上記風通路の加湿ファンから略水平方向に延びる横通路領域の上側を覆うケーシングから温度センサを離間して下方に配置することによって、ケーシング上面を介して受ける外気の影響を少なくでき、より正確な温度検出ができる。
【００２０】
また、一実施形態の加湿装置では、
上記風通路は、上記加湿ファンから略水平方向に延びる横通路領域を有し、
上記温度センサは、上記風通路の横通路領域に配置され、
上記風通路の横通路領域かつ上記温度センサの上側を覆うケーシングの上面または下面に断熱材を取り付けた。
【００２１】
上記実施形態によれば、上記風通路の横通路領域かつその横通路領域に配置され温度センサの上側を覆うケーシングの上面または下面に断熱材を取り付けることによって、ケーシング上面を介して受ける外気の影響を少なくでき、より正確な温度検出ができる。
【発明の効果】
【００２２】
【００２３】
以上より明らかなように、この発明の加湿装置によれば、風通路内に配置されたダンパの開閉動作を検出する検出手段なしに、簡単な構成でダンパが開状態であるべきときに閉状態となっているダンパ異常を検出することができる。
【００２４】
また、加湿ロータの下流側に温度センサが配置されていることによって、加湿ロータにより加湿された空気の温度を温度センサにより検出することが可能となり、温度センサをダンパ異常検出と加湿運転制御に兼用することができる。
【００２５】
また、一実施形態の加湿装置によれば、異常判定部は、間隔をあけて周期的に判定を繰り返して、所定時間内に、ダンパが開状態であるべきときに閉状態が所定回数以上あるとダンパ異常と判定することによって、ダンパ異常の誤検出を防止できる。
【００２６】
【００２７】
また、一実施形態の加湿装置によれば、上記風通路内の加湿ロータと温度センサとの間に配置された加湿ファンの下流側かつ加湿ファンから離間して配置することによって、乱流により温度が均一でない加湿ファンの直後よりも温度ムラの少ない領域で正確な温度検出を行うことができる。
【００２８】
また、一実施形態の加湿装置によれば、上記風通路の加湿ファンから略水平方向に延びる横通路領域の上側を覆うケーシングから温度センサを離間して下方に配置することによって、ケーシング上面を介して受ける外気の影響を少なくでき、より正確な温度検出行うことができる。
【００２９】
また、一実施形態の加湿装置によれば、上記風通路の横通路領域かつその横通路領域に配置され温度センサの上側を覆うケーシングの上面または下面に断熱材を取り付けることによって、ケーシング上面を介して受ける外気の影響を少なくでき、より正確な温度検出を行うことができる。
【発明を実施するための最良の形態】
【００３０】
以下、この発明の加湿装置を図示の実施の形態により詳細に説明する。
【００３１】
〔第１実施形態〕
図１はこの発明の第１実施形態の加湿装置を備えた空気調和機の概略構成図である。この空気調和機は、図１に示すように、室内機１と、上記室内機１に連絡配管(図示せず)を介して接続された室外機２と、上記室外機２上に載置され、室内機１と加湿ダクト４を介して接続された加湿装置３とを備えている。上記加湿装置３において室外空気を加湿して、加湿された空気を加湿ダクト４と室内機１を介して室内に供給する。
【００３２】
図２は上記加湿装置３の断面模式図を示しており、図２に示すように、加湿装置３は、吸湿ファン１１と、上記吸湿ファン１１により吸い込まれた室外空気を通過させて水分を吸着する吸着領域と水分を脱着する脱着領域とを有する円板形状の加湿ロータ１２と、上記加湿ロータ１２の脱着領域の上流側に配置されたヒータ１３と、上記加湿ロータ１２の脱着領域の下流側に配置された加湿ファン１４と、上記ヒータ１３と加湿ロータ１２の脱着領域と加湿ファン１４を通る風通路Ｐの出口近傍に設けられたダンパ１５とを備えている。上記加湿ロータ１２とヒータ１３と加湿ファン１４とダンパ１５をケーシング１０内に配置している。
【００３３】
上記加湿ロータ１２は、シリカゲル,ゼオライト,アルミナ等の吸着材が例えばハニカム状または多孔多粒状に成形されており、軸を中心に加湿ロータ駆動部２２(図４に示す)によって回転する。上記加湿ロータ１２は、吸湿ファン１１により吸い込まれた室外空気から吸着領域で吸湿する(水分を吸着する)。一方、上記風通路Ｐの加湿ロータ１２よりも上流側のヒータ１３で加熱された空気が加湿ロータ１２の脱着領域を通るときに、加湿ロータ１２によって加湿される(加湿ロータ１２から水分を脱着する)。このように、上記風通路Ｐの空気から加湿ロータ１２が吸着した水分は、ヒータ１３によって加熱された空気によって脱着されて、この空気が加湿される。そうして加湿された空気は、加湿ファン１４によって加湿ダクト４に送られる。
【００３４】
上記ヒータ１３とダンパ１５と温度センサ１６と異常判定部３０aでダンパ異常検出装置を構成している。
【００３５】
図３Ａは図２に示す要部Ａのダンパ１５が閉状態の断面模式図を示しており、ダンパ１５は、図示しないダンパ駆動部２１(図４に示す)によりケーシング１０内を水平方向に移動する。図３Ａでは、ダンパ１５が左側に移動して出口１０aを閉じている。上記ケーシング１０内の加湿ファン１４とダンパ１５との間に温度センサ１６を配置している。すなわち、風通路Ｐにおいて、温度センサ１６は、加湿ロータ１２の脱着領域の下流側に配置されている。
【００３６】
また、図３Ｂは図２に示す要部Ａのダンパ１５が開状態の断面模式図を示しており、図３Ｂでは、ダンパ１５が右側に移動して出口１０aを開いている。
【００３７】
図４は上記加湿装置３の要部のブロック図を示しており、この加湿装置３は、図４に示すように、温度センサ１６に基づいて、吸湿ファン１１,ヒータ１３,加湿ファン１４,ダンパ駆動部２１および加湿ロータ駆動部２２などを制御する制御部３０を備えている。上記制御部３０は、マイクロコンピュータおよび入出力回路などからなり、ダンパ異常か否かを判定する異常判定部３０aと、タイマＴＭ１と、タイマＴＭ２とを有している。
【００３８】
上記制御部３０は、加湿運転時、図５に示す加湿吹出温度のゾーン図にしたがって、加湿空気の吹出温度が制御される。図５に示すように、加湿吹出温度の高い温度から順に、第１温度HEATLT1、第２温度HEATLT2、第３温度HEATLT3、第４温度HEATLT4で分割された停止域、垂下域、無変化域、アップ域、アップ域兼ヒータ停止からの復帰域が設定されている。
【００３９】
上記温度センサ１６により検出された加湿吹出温度に基づいて、加湿吹出温度が目標温度になるように、ヒータ１３の出力を制御する。すなわち、加湿吹出温度がアップ域のときはヒータ１３の出力を大きくし、加湿吹出温度が無変化域のときはヒータ１３の出力を変えず、加湿吹出温度が垂下域のときはヒータ１３の出力を小さくする。
【００４０】
図６は上記制御部３０の開閉検出動作を説明するためのフローチャートを示し、図７は図６に続くフローチャートを示している。なお、処理がスタートする前に異常回数は、ゼロに初期設定されている。
【００４１】
この処理がスタートすると、ステップＳ１で加湿運転の要求有りか否かを判別して、加湿運転の要求有りのときはステップＳ２に進む一方、加湿運転の要求なしのときはステップＳ１を繰り返す。
【００４２】
そして、ステップＳ２で吹出温度ゾーンが停止域以外であると判別すると、ステップＳ３に進む一方、吹出温度ゾーンが停止域であると判別すると、ステップＳ９に進み、ヒータ１３をオフしてステップＳ１に戻る。
【００４３】
次に、ステップＳ３でヒータ１３をオンして、ステップＳ４に進み、タイマＴＭ１をスタートした後、ステップＳ５に進む。ここで、タイマＴＭ１のスタートとは、タイマカウント値が初期値に設定された後、再スタートすることであり、タイムアップとは、タイマカウント値がゼロからカウントアップされて所定値になった場合か、または、タイマカウント値が所定値からカウントダウンされてゼロになった場合のことをいう(以下、ＴＭ２,ＴＭ３も同様)。
【００４４】
次に、ステップＳ５で吹出温度ゾーンが停止域以外から停止域への変化有りか否かを判別して、吹出温度ゾーンが停止域以外から停止域への変化があると判別すると、ステップＳ６に進む。一方、ステップＳ５で吹出温度ゾーンが停止域以外から停止域への変化がないと判別すると、図７に示すステップＳ１１に進む。
【００４５】
次に、ステップＳ６で異常回数を１つインクリメント(＋１)した後、ステップＳ７に進み、異常回数が所定回数Ｎ以上であると判別すると、ステップＳ８に進み、異常処理を実行して、この処理を終了する。
【００４６】
一方、ステップＳ７で異常回数が所定回数Ｎ未満であると判別すると、ステップＳ１に戻る。
【００４７】
また、図７に示すステップＳ１１では、タイマＴＭ１がタイムアップしたか否かを判別して、タイマＴＭ１がタイムアップしたと判別したときは、ステップＳ１５に進み、異常回数をゼロに設定して、図６に示すステップＳ１に戻る。
【００４８】
一方、ステップＳ１１でタイマＴＭ１がタイムアップしていないと判別したときは、ステップＳ１２に進み、加湿運転の要求有りか否かを判別する。
【００４９】
そして、ステップＳ１２で加湿運転の要求有りと判別すると、図６に示すステップＳ５一方、加湿運転の要求なしと判別すると、ステップＳ１３に進む。
【００５０】
次に、ステップＳ１３でタイマＴＭ２をスタートした後、ステップＳ１４に進み、タイマＴＭ２がタイムアップしたか否かを判別する。
【００５１】
そして、ステップＳ１４でタイマＴＭ２がタイムアップしたと判別すると、ステップＳ１５に進む一方、タイマＴＭ２がタイムアップしていないと判別すると、ステップＳ１６に進む。
【００５２】
次に、ステップＳ１６で加湿運転の要求有りと判別すると、図６に示すステップＳ１に戻る一方、加湿運転の要求なしと判別すると、ステップＳ１４に戻る。
【００５３】
上記ダンパ異常検出装置を備えた加湿装置３によれば、風通路Ｐ内に配置されたダンパ１５の開閉動作を検出する検出手段なしに、簡単な構成でダンパ１５が開状態であるべきときに閉状態となっているダンパ異常を検出することができる。
【００５４】
また、上記加湿ロータ１２の下流側に温度センサ１６が配置されていることによって、加湿ロータ１２により加湿された空気の温度を温度センサ１６により検出することが可能となり、温度センサ１６をダンパ異常検出と加湿運転制御に兼用することができる。
【００５５】
また、異常判定部３０aは、間隔をあけて周期的に判定を繰り返して、所定時間内に、ダンパが開状態であるべきときに閉状態が所定回数Ｎ以上あるとダンパ異常と判定することによって、ダンパ異常の誤検出を防止することができる。
【００５６】
〔第２実施形態〕
図８はこの発明の第２実施形態の加湿装置を備えた空気調和機の要部のブロック図を示しており、この第２実施形態の空気調和機は、制御部３０を除いて同一の構成をしている。
【００５７】
図９は上記加湿装置３の制御部３０の他の開閉検出動作を説明するためのフローチャートを示している。
【００５８】
この処理がスタートすると、ステップＳ２１で加湿運転の要求有りと判別すると、ステップＳ２２に進む一方、加湿運転の要求なしと判別すると、このステップＳ２１を繰り返す。
【００５９】
そして、ステップＳ２２で開閉検出用のヒータ出力をオンする。このとき、ヒータ１３に開閉検出用として所定電力を投入して、ヒータ出力を一定にしている。
【００６０】
次に、ステップＳ２３に進み、タイマＴＭ３をスタートして、ステップＳ２４に進み、加湿吹出温度が所定温度Ｘ以上か否かを判別する。
【００６１】
そして、ステップＳ２４で加湿吹出温度が所定温度Ｘ以上であると判別すると、ステップＳ２５に進み、異常処理を実行して、この処理を終了する。
【００６２】
一方、ステップＳ２４で加湿吹出温度が所定温度Ｘ未満であると判別すると、ステップＳ２６に進み、タイマＴＭ３がタイムアップしていると判別すると、ステップＳ２７に進み、通常運転を実行して、この処理を終了する。
【００６３】
一方、ステップＳ２６でタイマＴＭ３がタイムアップしていないと判別すると、ステップＳ２４に戻る。
【００６４】
このように、上記制御部３０の他の開閉検出動作では、風通路Ｐ内に配置されたヒータ１３の出力を一定とすることによって、ダンパ１５の開状態と閉状態で温度センサ１６により検出された加湿空気の温度の違いが明確になるので、温度センサ１６により検出された加湿空気の温度の変化に基づいて、ダンパ異常を正確に判定することができる。
【００６５】
上記第１,第２実施形態では、ケーシング１０内の加湿ファン１４とダンパ１５との間に温度センサ１６を配置したが、加湿ファン１４の直後よりも、図１０に示すように、温度センサ１６を加湿ファン１４から遠い図中右側に配置するのが望ましい。このように、温度センサ１６を加湿ファン１４の下流側かつ加湿ファン１４から離間して配置した場合は、乱流により温度が均一でない加湿ファン１４の直後よりも温度ムラの少ない領域で正確な温度検出ができる。
【００６６】
また、図１１に示すように、温度センサ１６を加湿ファン１４から遠い図中右側にすると共に、さらに上側のケーシング１０上面から遠い図中下側に配置するのが望ましい。このように、温度センサ１６を風通路の横通路領域の上側を覆うケーシング１０から離間して下方に配置した場合は、ケーシング１０上面を介して受ける外気の影響を少なくでき、より正確な温度検出ができる。
【００６７】
または、図１２に示すように、図１０と同じ位置の温度センサ１６の上側のケーシング１０上面に断熱材２０を設けることによって、ケーシング１０上面を介して受ける外気の影響を少なくでき、より正確な温度検出ができる。
【００６８】
さらに、図１４に示す樹脂モールドタイプのサーミスタを温度センサ１１６に用いた場合よりも、図１５に示す管入タイプのサーミスタを温度センサ２１６に用いることによって、ケーシング１０の上側に温度センサを取り付けるしかない構造上の制約があっても、温度センサの検出部をより下方に取り付けて、ケーシング上面を介して受ける外気の影響を少なくできる。
【００６９】
また、上記第１,第２実施形態では、ダンパ異常検出装置を備えた加湿装置を備える空気調和機について説明したが、ダンパ異常検出装置はこれに限らず、風通路内に配置されたヒータと、風通路内に配置されたダンパと、風通路内のヒータの下流側に配置された温度センサと、ヒータをオンした状態で温度センサの検出温度に基づいて、ダンパが開状態であるべきときに閉状態となっているダンパ異常か否かを判定する異常判定部とを備えたものであればよい。
【００７０】
例えば、ヒータとダンパが風通路内に配置された空調ダクトにこの発明のダンパ異常検出装置を適用してもよい。
【００７１】
また、上記第１,第２実施形態では、ダンパ駆動部２１により水平方向に移動させるダンパ１５について説明したが、ダンパの構成はこれに限らない。
【００７２】
例えば、風通路内に上端部が回動自在に取り付けられたフタ状のダンパであって、風下側のファンからの風圧によりダンパが上端部を中心に風下側に回動して風通路が開き、ファンが停止すると、ダンパが自重により上端部を中心にして下方に閉じてストッパーに当たり、全閉状態になるものであってもよい。この場合、ファンを停止する直前のファン風量が所定値よりも大きいときは、ファン風量を所定値以下にしてから所定時間経過後にファンを停止することにより、ファン停止時のダクトがストッパーに当接するときの音を小さくできる。
【００７３】
さらに、風通路内の加湿ロータ１２,ヒータ１３,加湿ファン１４,温度センサ１６よりも下流側にダンパ１５を配置したが、ダンパの位置はこれに限らず、ダンパは風通路内であればどこに配置されていてもよい。
【図面の簡単な説明】
【００７４】
【図１】図１はこの発明の第１実施形態の加湿装置を備えた空気調和機の概略構成図である。
【図２】図２は上記加湿装置の断面模式図である。
【図３Ａ】図３Ａは図２に示す要部Ａのダンパが閉状態の断面模式図である。
【図３Ｂ】図３Ｂは図２に示す要部Ａのダンパが開状態の断面模式図である。
【図４】図４は上記空気調和機の要部のブロック図である。
【図５】図５は加湿吹出温度のゾーン図である。
【図６】図６は上記空気調和機の制御部の開閉検出動作を説明するためのフローチャートである。
【図７】図７は図６に続くフローチャートである。
【図８】図８はこの発明の第２実施形態の加湿装置を備えた空気調和機の要部のブロック図である。
【図９】図９は上記空気調和機の制御部の他の開閉検出動作を説明するためのフローチャートである。
【図１０】図１０は温度センサの他の配置例を示す断面模式図である。
【図１１】図１１は温度センサの他の配置例を示す断面模式図である。
【図１２】図１２は図１０において温度センサの上側に断熱材を設けた例を示す断面模式図である。
【図１３】図１３は温度センサに樹脂モールドタイプのサーミスタを用いた例を示す断面模式図である。
【図１４】図１４は温度センサに管入タイプのサーミスタを用いた例を示す断面模式図である。
【符号の説明】
【００７５】
１…室内機
２…室外機
３…加湿装置
４…加湿ダクト
１０…ケーシング
１２…加湿ロータ
１３…ヒータ
１４…加湿ファン
１５…ダンパ
１６,１１６,２１６…温度センサ
２１…ダンパ駆動部
２２…加湿ロータ駆動部
３０…制御部
３０a…異常判定部
Ｐ…風通路
ＴＭ１,ＴＭ２,ＴＭ３…タイマ